(57)【要約】  宇宙飛行体のプラットフォームの一部を形成する機械的要素（６）に対して機械的に接続されるよう意図されたインターフェース部（５）と、第１の端部（７Ａ）に少なくとも三つの足（８）を有すると共に、一方で第１の端部（７Ａ）と対向する第２の端部（７Ｂ）に設置されたインターフェース部（７）と、他方で複数の接続要素（９）それぞれとの間の機械的リンクを形成するよう構成された多脚構造体（７）であって、各接続リンク（９）は、それが関連付けられる多脚構造体（７）の足（８）の一つに接続される多脚構造体（７）と、アンテナ反射器（２）の背面（３Ｂ）に対して機械的に接続されるよう意図された上記接続要素（９）とを備えるモジュラーインターフェースシステム（１）。
2020525355.tif 000002
【特許請求の範囲】
【請求項１】
宇宙飛行体の、特に衛星のアンテナ反射器と、前記宇宙飛行体のプラットフォームとの間にインターフェースを形成するよう意図されたモジュラーインターフェースシステムであって、
前記プラットフォームの一部を形成する機械的要素（６）に対して機械的に接続されるよう構成されたインターフェース部（５）と、
第１の端部（７Ａ）に、第一に前記第１の端部（７Ａ）と対向する第２の端部（７Ｂ）に設置された前記インターフェース部（５）と、第二に複数のリンク（９）それぞれとの間の機械的接続部を形成するよう構成された少なくとも三つの足（８）を有する多脚構造体（７）であって、各リンク９は、それが関連付けられる前記多脚構造体（７）の前記足（８）の一つに接続される、多脚構造体（７）と、
前記アンテナ反射器（２）の背面（３Ｂ）に対して機械的に接続されるよう構成された前記リンク（９）と
を備えることを特徴とするモジュラーインターフェースシステム。
【請求項２】
前記リンク（９）のそれぞれと前記多脚構造体（７）の関連する前記足（８）との間に、ねじ込み式接続部を備えることを特徴とする請求項１に記載のシステム。
【請求項３】
前記インターフェース部（５）と前記多脚構造体（７）との間に、ねじ込み式接続部を備えることを特徴とする請求項１または請求項２に記載のシステム。
【請求項４】
前記インターフェース部（５）は、前記プラットフォームの一部を形成する前記機械的要素（６）に機械的に接続されると共に所定のポジションにおいて確実にセットできるよう構成されたボールジョイント（１０）を備えることを特徴とする請求項１ないし請求項３のいずれか１項に記載のシステム。
【請求項５】
前記リンク（９）のそれぞれは、前記アンテナ反射器（２）の背面（３Ｂ）に対して機械的に接続されるよう構成された略平坦なブラケット（１３）と、前記ブラケット（１３）に対して交差方向に設置されるロッド（１４）と、を備えることを特徴とする請求項１ないし請求項４のいずれか１項に記載のシステム。
【請求項６】
前記リンク（９）のそれぞれは、前記リンク（９）の前記ブラケット（１３）と前記ロッド（１４）との間に接続部を形成するボールジョイント（１５）を備え、前記ボールジョイント（１５）は所定のポジションにおいて確実に固定することができることを特徴とする請求項５に記載のシステム。
【請求項７】
前記リンク（９）のそれぞれは、その面の一方（１３Ａ）に、前記アンテナ反射器（２）の背面（３Ｂ）に接続されるよう意図された複数の矢じり（１８）を有することを特徴とする請求項１ないし請求項６のいずれか１項に記載のシステム。
【請求項８】
少なくとも一つのダンパー要素を備えることを特徴とする請求項１ないし請求項７のいずれか１項に記載のシステム。
【請求項９】
宇宙飛行体の、特に衛星の、特にアンテナのアンテナ反射器であって、
請求項１ないし請求項８のいずれか１項に記載の少なくとも一つのモジュラーインターフェースシステム（１）を備え、前記モジュラーインターフェースシステム（１）の前記リンク（９）は、前記アンテナ反射器（３）の背面（３Ｂ）に対して機械的に接続されることを特徴とするアンテナ反射器。
【請求項１０】
前記アンテナ反射器（３）の背面（３Ｂ）に機械的に接続された複数のモジュラーインターフェースシステム（１）を備えることを特徴とする請求項９に記載のアンテナ反射器。
【請求項１１】
少なくとも一つのアンテナ反射器と、少なくとも一つのプラットフォームと、を備える宇宙飛行体、特に衛星であって、
前記アンテナ反射器（２）と宇宙エンジンの前記プラットフォームとの間にインターフェースを形成する、請求項１ないし請求項８のいずれか１項に記載の少なくとも一つのモジュラーインターフェースシステム（１）を備え、
前記モジュラーインターフェースシステム（１）の前記リンク（９）は前記アンテナ反射器（２）の前記背面（３Ｂ）に対して機械的に接続されており、
前記モジュラーインターフェースシステム（１）の前記インターフェース部（５）は、前記プラットフォームの一部を形成する機械的要素（６）に対して機械的に接続されていることを特徴とする宇宙飛行体。
【請求項１２】
前記機械的要素（６）は保持・解放機構であることを特徴とする請求項１１に記載の宇宙飛行体。
【請求項１３】
前記機械的要素（６）は展開アーム（２０）であることを特徴とする請求項１１に記載の宇宙飛行体。
【請求項１４】
前記アンテナ反射器（２）の前記背面（３Ｂ）に対して機械的に接続されたモジュラーインターフェイスシステム（１）のセットを備え、前記モジュラーインターフェイスシステム（１）のセットは、前記アンテナ反射器（２）と前記プラットフォームとの間の単独のインターフェースを構成することを特徴とする請求項１１ないし請求項１３のいずれか１項に記載の宇宙飛行体。
【発明の詳細な説明】
【技術分野】
【０００１】
本発明は、宇宙飛行体の、特に衛星の、特にアンテナ用のアンテナ反射器用のモジュラーインターフェースシステムと、一つ以上のそうしたモジュラーインターフェースシステムを備えたアンテナ反射器とに関する。
【背景技術】
【０００２】
これに限定されることなく、本発明は、より具体的には、例えば大型アンテナ反射器などの通信衛星のアンテナ反射器に適用される。このようなアンテナ反射器は、概して、（電波を反射する）反射面を備えた（シェルと呼ばれる）剛性構造体と、シェルを空間で保持するのを助けると共に衛星との接続に貢献する、反射面後方の補強手段とを備える。
【０００３】
より具体的には、中実シェルアンテナ反射器の大部分は、次の三つの要素のアセンブリに基づいている。
・電波との機能的インターフェースを形成する反射面を備えたシェル
・打ち上げ時に反射器を（衛星の）プラットフォーム上で保持できるようにするだけでなく、（展開アームおよびモーターによって）軌道上でのその展開を可能にするインターフェース要素
・プラットフォームのインターフェース要素と反射面を備えたシェルとの間の構造的接続を可能にする後部構造体
【０００４】
このようにして製造された反射器は、常に、多くの部品基準、特定の一回限りの設計および複数のアセンブリを必要とする。
【０００５】
したがって、特にコストを削減するために、アンテナ反射器の簡素化が求められている。
【０００６】
簡素化を達成するための技術的解決策および関連技術は、少なくとも次の問題のいくつかに対する解決策を生み出すことができる必要がある。
・プラットフォームのさまざまなインターフェース要件（インターフェースポイントの数、位置、剛性の仕様など）を満たすためにアセンブリのモジュール性を提供すること
・多面の適合性を保証すること
・適切な特性を伴って機械的、熱的、機能的性能を保証すること
・簡素化された工業化および開発を可能にすること
【発明の概要】
【発明が解決しようとする課題】
【０００７】
本発明の目的は、こうしたアンテナ反射器の簡素化に貢献することである。それは、宇宙飛行体の、特に衛星のアンテナ反射器と、宇宙飛行体のプラットフォームとの間のインターフェースを形成することを目的としたモジュラーインターフェースシステムに関する。
【課題を解決するための手段】
【０００８】
本発明によれば、上記モジュラーインターフェースシステムは、
・上記プラットフォームの一部を形成する機械的要素に対して機械的に接続されるよう意図されたインターフェース部と、
・第１の端部に、第一に第１の端部と対向する第２の端部に設置されたインターフェース部と、第二に複数のリンクそれぞれとの間の機械的接続部を形成するよう構成された少なくとも三つの足を有する多脚構造体であって、各リンクは、それが関連付けられる多脚構造体の足の一つに接続される多脚構造体と、
・アンテナ反射器の背面に機械的に接続されるよう意図された上記リンクと
を具備する。
【０００９】
本発明によって、モジュラーインターフェースシステムは、モジュール性を提供することに加えて、以下で説明するように、多くのその他の利点を有する。
【００１０】
有利なことには、モジュラーインターフェースシステムは、
・上記リンクのそれぞれと、多脚構造体の関連する足との間のねじ式接続部および／または、
・インターフェース部と多脚構造体との間のねじ式接続部
を備える。
【００１１】
さらに、有利なことには、
・インターフェース部は、プラットフォームの一部を形成する上記機械的要素に機械的に接続されるよう意図され、かつ、所定のポジションにおいて確実に固定（セット）できるボールジョイントを備え、かつ／または
・上記リンクのそれぞれは、アンテナ反射器の背面に機械的に接続されるよう意図された、略平坦な形状のブラケットと、当該ブラケットに対して交差方向に（好ましくは略直交するように）設置されたロッドとを備える。
【００１２】
加えて、好ましくは、上記リンクのそれぞれは、ブラケットとリンクのロッドとを接合するボールジョイントを備え、ここで上記ボールジョイントは所定のポジションにおいて確実に固定（セット）できる。
【００１３】
さらに、有利なことには、上記リンクのそれぞれは、アンテナ反射器の背面に接続されるよう意図された、その面の一つに複数の矢じりを有する。
【００１４】
加えて、有利なことには、モジュラーインターフェースシステムは少なくとも一つのダンパー要素を備える。
【００１５】
本発明はまた、宇宙飛行体の、特に衛星の、特にアンテナ用のアンテナ反射器に関する。本発明によれば、アンテナ反射器は、上述したもののような少なくとも一つの、好ましくは複数のモジュラーインターフェースシステムを備える。
【００１６】
本発明はまた、少なくとも一つのアンテナ反射器および少なくとも一つのプラットフォームを備えた宇宙飛行体、特に衛星に関する。
【００１７】
本発明によれば、上記宇宙飛行体は、アンテナ反射器と宇宙エンジンのプラットフォームとの間にインターフェースを形成する、上述したもののような少なくとも一つのモジュラーインターフェースシステムを備え、このモジュラーインターフェースシステムの上記リンクはアンテナ反射器の背面に機械的に接続され、かつ、モジュラーインターフェースシステムの上記インターフェース部はプラットフォームの一部を形成する機械的要素に機械的に接続される。
【００１８】
好ましい実施形態では、上記宇宙飛行体は、アンテナ反射器の背面に機械的に接続されたモジュラーインターフェースシステムのセットを備え、このモジュラーインターフェースシステムの上記セットは、アンテナ反射器とプラットフォームとの間の唯一のインターフェースを構成する。したがって、それは慣習的な後部構造体を備えていない。
【００１９】
加えて、第１実施形態では、上記機械的要素は保持・解放機構であり、一方、第２実施形態では上記機械的要素は展開アームである。
【００２０】
添付図面によって、本発明がどのように実施できるかを理解することが容易になる。これらの図面では、同一の参照数字は類似の要素を示す。
【図面の簡単な説明】
【００２１】
【図１】好ましい実施形態によるモジュラーインターフェースシステムを備えたアンテナ反射器の背面の概略平面図である。
【図２】好ましい実施形態によるモジュラーインターフェースシステムを備えたアンテナ反射器の背面の概略斜視図である。
【図３】モジュラーインターフェースシステムの斜視図である。
【図４】モジュラーインターフェースシステムの概略側面図である。
【図５】ボールジョイントが取り付けられたモジュラーインターフェースシステムのインターフェース部の概略図である。
【図６】モジュラーインターフェースシステムの高さを調整できる可能性を示す二つの重ね合わせた図である。
【図７】リンクの斜視図である。
【図８】アンテナ反射器の表面用に設計された、特定の方法でモジュラーインターフェースシステムを設置する可能性を示す図である。
【図９】アンテナ反射器の壁にリンクを取り付ける例を概略的に示す図である。
【発明を実施するための形態】
【００２２】
モジュラーインターフェースシステム１（以下、「システム１」）は、図１および図２に示すように、アンテナ反射器２の上に設置されるよう意図されている。このアンテナ反射器２は、（図示していない）宇宙飛行体の、特に衛星のアンテナの一部を形成する。
【００２３】
このアンテナ反射器２は、（電磁波を反射することができる）反射面または反射性面が取り付けられた剛構造体（またはシェル）３を含む。以下の説明では、アンテナ反射器２について、シェル３の二つの面３Ａおよび３Ｂ、すなわち反射面である前面と呼ばれる面３Ａおよびこの前面３Ａと反対側の面であってかつ一つ以上のシステムを受けるよう意図された背面と呼ばれる面３Ｂについて言及する。
【００２４】
これに限定されるわけではないが、システム１は、より具体的には、衛星のアンテナ反射器２と衛星のプラットフォームとの間にインターフェースを形成するよう意図される。本発明の文脈において、衛星または宇宙飛行体の「プラットフォーム」という用語は、衛星または宇宙飛行体の構造的部分を意味すると理解される。
【００２５】
図１および図２に示す特定の実施形態では、シェル３はそれぞれ四つおよび五つの（モジュラーインターフェース）システム１を有する。もちろん、それは異なる数のシステム１を備えることが可能である。
【００２６】
本発明によれば、各（モジュラーインターフェース）システム１は、特に図３および図４に示すように、
・宇宙飛行体の、特に衛星の上記プラットフォームの一部を形成する機械的要素６（図２および図４）に機械的に接続されるよう意図されたインターフェース部５と、
・第１の端部７Ａに、第一に第１の端部７Ａと対向する第２の端部７Ｂに設置されたインターフェース部５と、第二に複数のリンク９それぞれとの間の機械的接続部を形成するよう構成された少なくとも三つの足８を有する多脚構造体７（各リンク９は、それが関連付けられる多脚構造体７の足８の一つに取り付けられ、したがって各足８はリンク９に接続される）と、
・以下で説明するように、アンテナ反射器２のシェル３の背面３Ｂに取り付けられるよう意図された上記リンク９と
を具備する。
【００２７】
これらのさまざまな要素（インターフェース部５、多脚構造体７、リンク９）は、以下で説明するように、機械的ヒンジおよびジョイントによって一つに組み立てられ、組み立て中、システム１のモジュール性に不可欠なクリアランスおよび自由度を提供する。
【００２８】
特に図３に示す実施形態では、システム１は、特定の実施形態ではシステム１の回転対称軸線となることができる長手方向軸線と呼ばれる軸線Ｘ−Ｘを中心として形成される。
【００２９】
さらに、（それに対してインターフェース部５が接続される）上記機械的要素６は、例えば以下のものであってもよい。
・図２に示すような展開アーム２０。この展開アーム２０は、アンテナ反射器２を格納位置から展開位置へと動作させることができる展開デバイスの一部を形成することができる。
・アンテナ反射器２をプラットフォームに対して適切なポジションにおいて、特に打ち上げ時の格納位置で保持するための（図示していない）保持・解放機構
【００３０】
特定の実施形態において、インターフェース部５は、図５に示すようなボールジョイント１０を備える。このボールジョイント１０は、上記プラットフォームの一部を形成する機械的要素６に機械的に接続されるよう意図され、かつ、所定のポジションにおいて確実に固定（セット）することができる。このボールジョイント１０は、軸線Ｌ（それに沿って機械的要素６（または機械的要素６に接続される部分）がインターフェース部５に接続される）が長手方向軸線Ｘ−Ｘに対して（非ゼロ）角度αを有することを可能にする。
【００３１】
ボールジョイント１０を備えたインターフェース部を得るには以下を使用できる。
・角度調整用のボール・ソケットブラケット。このボールジョイントは、アンテナ反射器２が組み立てられるとき、接着剤の充填、溶着、ねじおよびボルト、リベット留めまたはスラグの使用によって所定のポジションにおいて確実に固定（セット）される。ボールジョイント１０は、慣例的な機械加工プロセスによって、あるいは材料の付加による付加層製造（Additive Layer Manufacturing）（ＡＬＭ）形式の製法、すなわち３Ｄプリンティングによって製造することができる。
【００３２】
スラグの使用は金属ラグなどのスラグの設置を含んでいてもよく、これは一方の部品が他方に対して移動するのを防止する。
【００３３】
図３に示すように、特に、多脚構造体７は複数の足８を備える。これらの足８は、長手方向軸線Ｘ−Ｘの周りに角度的に割り当てられ、端部７Ｂに一つに接続され、そして長手方向軸線Ｘ−Ｘから端部７Ａに向かって広がる。
【００３４】
好ましくは、多脚構造体７の端部７Ｂには、インターフェース部５を収容するための円形開口（図では認識できない）が形成される。
【００３５】
各足８は、図３に示すように、端部７Ａにタブ１２を有する構造体１１（概して細長い形状）を備える。タブ１２は構造体１２の平面に対して湾曲した部分であり、プレート１２の平面は長手方向軸線Ｘ−Ｘに対して概ね直交している。
【００３６】
図示される例では、多脚構造体７は四つの足８を備える。好ましくは、安定性の理由から、構造体７は少なくとも三つの足を備える。だが、３または４よりも多い数の足もまた可能である。
【００３７】
さらに、特に図７に示すように、各リンク９は、特にその質量を低減するために、好ましくは開口を備えた概ね円形の略平坦なブラケット１３を備える。このブラケット１３は、以下で説明するように、面１３Ａ（図９）によってアンテナ反射器２のシェル３の背面３Ｂに機械的に接続されるよう意図され、そしてロッド１４は、例えば、上記ブラケット１３（図９）に対して概ね直交するように、このブラケット１３の面１３Ｂに設置される。
【００３８】
システム１はまた、多脚構造体７に関連付けられた各リンク９と足８との間、より具体的にはロッド１４とタブ１２との間に、ねじ式接続部を備えることができる。このねじ式接続部を使用することで、システム１は、図６の上部の位置Ｐ１における（ブラケット１３とプレート１２との間の）高さＨ２に関して、そして図６の下部の位置Ｐ２における（ブラケット１３とプレート１２との間の）高さＨ３に関して図示されるように、ブラケット１３と、関連するプレート１２との間の可変高さを使用して、軸線Ｘ−Ｘに沿って、すなわち背面３Ｂに対して概ね半径方向に可変高さを有することができる。
【００３９】
したがってシステム１の高さは、個別に検討するかあるいは互いに連携して、すなわち
・多脚構造体７とリンク９との間のねじ込み式／ボルト式接合によって、
・そしてまた多脚構造体７の特定の構成によって、
いくつかのレベルに調整することができる。
【００４０】
さらに特定の実施形態では、リンク９のそれぞれは、図７に示すように、ブラケット１３の上面１３Ｂにボールジョイント１５を備え、これは、ブラケット１３とリンク９のロッド１４とを接続し、ロッド１４を位置合わせすることを可能にする。このボールジョイント１５を使用することで、ロッド１４を、図７に角度β０で示すように、ブラケット１３の基本平面に対して略直交する軸線１６に対して特定の角度位置となるように固定（セット）することができる。所望の角度位置になるとすぐに、ボールジョイント１５を所定のポジションにおいて確実に固定（セット）できる。アンテナ反射器２のシェル３は、特に、例えば図８に示すように、問題の任務の要件のための特定の形状であってもよい。特定の場合において、形状は、その受け面と同様、システム１の、シェル３との整列が大きな影響を受けるようなものである。
【００４１】
（ボールジョイント１５を使用した）リンク９の角度調整能力は、図８に角度β１およびβ２で表されるように、それらが表面の形状に（特に局所的な垂線に）適合することを可能にする。
【００４２】
特定の実施形態において、リンク９のボールジョイント１５は、ＡＬＭ方式の製造プロセスによって製造される。代替案の一つは、ねじ込まれるかあるいは結合されたアセンブリを使用して、慣習的なボールジョイント１５をリンク９に統合することである。
【００４３】
ボールジョイント１５は、アンテナ反射器２を組み立てるときに、接着剤の充填、溶着、ねじおよびボルト、リベット留めまたはスラグの使用によって、適当なポジションにおいて確実に固定（セット）される。
【００４４】
図８に異なる高さＨＡおよびＨＢで示すように、異なるリンク９に関して、タブ１２とブラケット１３との間に異なる高さが存在してもよい。
【００４５】
角度のある部分に適応するために、多脚構造体７はリンク９間の高さの違いを含むように改変することも可能である。
【００４６】
リンク９はアンテナ反射器２のシェル３に対して、さまざまな慣習的手法で取り付けることができる。
【００４７】
だが、特定の実施形態では、各リンク９は、図９に示すように、ブラケット１３の面の一つに、アンテナ反射器のシェル３の背面３Ｂに接続されるよう意図された（面１３Ｂと対向する）面１３Ａに、（例えばハイパージョイントタイプの）複数の矢じり１８を有する。
【００４８】
これらの矢じり１８は、図９に矢印Ｃで示すように、スキン強化材１９を経てシェル３の材料内に挿入される。ブラケット１３に確実に結合されるこれらの矢じり１８は、したがって、適切な特性を伴って、シェル３に対する安定的な取り付けを可能にする。
【００４９】
シェル３は、ＣＦＲＰ（炭素繊維強化ポリマー複合材料）タイプの薄いサンドイッチシェル、ＣＦＲＰタイプの厚いサンドイッチシェル、ＣＦＲＰタイプの膜、あるいは代替的にＣＦＲＰタイプのモノリシックシェルであってもよい。
【００５０】
加えて、システム１は少なくとも一つのダンパー要素（図示せず）を含む。このダンパー要素（ジョイント、スプリング、金属ブレードなど）により、アセンブリの剛性を低減することができ（したがってシステム１とシェル３との間の力の伝達を制御および最適化することができ）、しかも動的なストレス（特に打ち上げ段階での振動）が発生した場合に減衰を利用することができる。
【００５１】
アンテナ反射器２の機械的および熱的性能がこうして保証される。特に、
・アンテナ反射器２の質量は、以下で説明されるように、後部構造体がないために低減され、
・機械的性能（剛性、力の伝達など）は、
・接着剤の充填、溶着、ねじ止め、リベット留めあるいはスラグの使用によるジョイントとヒンジとの取り付け、
・少なくとも一つのダンパー要素の取り付け、
・多脚構造体７および多数のリンク９による力の拡散（多数のリンク９による最適化は、例えば三脚から四つ以上の足を持つデバイスに変更することにより可能である）
によって提供され、
・熱安定性性能は、例えば次のような特定の低ＣＴＥ（熱膨張係数）材料を使用することで最適化できる。
・ＩＮＶＡＲタイプの金属合金
・ＣＦＲＰ（炭素繊維強化ポリマー）複合材料
【００５２】
さらに、工業化に関して、全てのシステム１には、部品標準化および製造作業の削減という利点がある。
【００５３】
システム１にクリアランスおよび自由度を挿入することにより部品の標準化が許容され、これにより、使用されるインターフェース手段への適応が可能になり、かつ、さまざまな表面との適合性が実現される。標準化により工業化（一般的な範囲および文書化）の簡素化もまた可能になる。
【００５４】
特に、
・以下で説明するような後部構造体の除去によって、
・矢じり１８（図９）を使用した取り付けによって
製造作業数の削減も実現される。
【００５５】
好ましい実施形態では、アンテナ反射器２またはこのアンテナ反射器２を含む問題の宇宙飛行体（特に衛星）は、そうした（モジュラーインターフェース）システム１のセットを備え、それらは全て、図１および図２に示すように、アンテナ反射器２のシェル３の背面３Ｂに機械的に接続される。システム１のこのセットは、アンテナ反射器２と宇宙飛行体のプラットフォームとの間の唯一のインターフェースを構成し、言い換えれば、慣習的な後部構造体は使用されない。
【００５６】
システム１は互いに独立している。各システム１の独立性により、アンテナ反射器２のシェル３の背面３Ｂ上に、所望の任意の方法でシステムを配置することができる。したがってシステム１は、多種多様なインターフェース構成に適応可能である。
【００５７】
このシステム１のセットには多くの利点があり、特にアンテナ反射器２に関する次の主な利点がある。
・アンテナ反射器２のコストの全体的な削減
・正当化の労力および製造作業（結合、ドレープ成形、組み立てなど）の期間および回数を最小限に抑えることによるアンテナ反射器２の配送サイクル時間の短縮
・部品点数の削減および標準化によるアンテナ反射器２の簡素化
・必要な性能の達成を保証しながらのアンテナ反射器２の質量の削減
【００５８】
全てのシステム１には次の利点もある。
・それらは、宇宙飛行体のプラットフォームとのさまざまなインターフェース要件（インターフェースポイントの数、位置、剛性など）を満たすアセンブリのモジュール性を提供する。
・それらは、複数の放物線形状および表面の実質的な成形により、幅広い直径に適応することで、複数表面適合性を保証する。
・それらは、特に低い重量バジェット、熱機械的環境への耐性、そして表面プロファイルの安定性および精度への低い影響によって、機械的、熱的および機能的性能を保証する。
・それらは工業化および使用の簡素化を可能にする。
【符号の説明】
【００５９】
１  モジュラーインターフェースシステム
２  アンテナ反射器
３  剛構造体（シェル）
３Ａ  前面
３Ｂ  背面
５  インターフェース部
６  機械的要素
７  多脚構造体
７Ａ  第１の端部
７Ｂ  第２の端部
８  足
９  接続リンク
１０  ボールジョイント
１１，１２  構造体
１３  ブラケット
１３Ａ，１３Ｂ  面
１４  ロッド
１５  ボールジョイント
１６  軸線
１８  矢じり
１９  スキン強化材
２０  展開アーム
【図１】
2020525355.tif 000003
【図２】
2020525355.tif 000004
【図３】
2020525355.tif 000005
【図４】
2020525355.tif 000006
【図５】
2020525355.tif 000007
【図６】
2020525355.tif 000008
【図７】
2020525355.tif 000009
【図８】
2020525355.tif 000010
【図９】
2020525355.tif 000011
【国際調査報告】
2020525355.tif 000012
2020525355.tif 000013
2020525355.tif 000014
2020525355.tif 000015
2020525355.tif 000016
2020525355.tif 000017